(57)【特許請求の範囲】
【請求項１】
血管吻合手技をトレーニングするための手技シミュレータであって、
人体の腕部に相当する腕部モデルと、
前記腕部モデルを支持する支持台と、を備え、
前記腕部モデルには、人体血管代替物が配設可能な一対の溝部が所定間隔をおいて並設され、且つ前記各溝部に配設された前記人体血管代替物を覆うように人体皮膚代替物が配設可能であることを特徴とする手技シミュレータ。
【請求項２】
請求項１記載の手技シミュレータにおいて、
前記人体皮膚代替物を前記支持台に対して係止する係止手段、
をさらに備えることを特徴とする手技シミュレータ。
【請求項３】
請求項１又は２に記載の手技シミュレータにおいて、
前記人体血管代替物の内孔に液体を注入可能な液体注入手段をさらに備えることを特徴とする手技シミュレータ。
【請求項４】
請求項３記載の手技シミュレータにおいて、
前記液体は、着色されていることを特徴とする手技シミュレータ。
【請求項５】
請求項１〜４のいずれか１項に記載の手技シミュレータにおいて、
前記一方の溝部の深さ寸法が、前記他方の溝部の深さ寸法よりも大きく設定されていることを特徴とする手技シミュレータ。
【請求項６】
請求項１〜５のいずれか１項に記載の手技シミュレータにおいて、
前記腕部モデルは、軟質な材料で構成されていることを特徴とする手技シミュレータ。
【請求項７】
請求項１〜６のいずれか１項に記載の手技シミュレータにおいて、
前記人体血管代替物は、人以外の哺乳類動物の血管であることを特徴とする手技シミュレータ。
【請求項８】
請求項１〜７のいずれか１項に記載の手技シミュレータにおいて、
前記人体皮膚代替物は、人以外の哺乳類動物又は鳥類動物の皮膚であることを特徴とする手技シミュレータ。
【請求項９】
人体の腕部に相当する腕部モデルに所定間隔をおいて並設された一対の溝部の各々に人体血管代替物が配設され、且つ前記人体血管代替物を覆うように人体皮膚代替物が前記腕部モデルに配設された手技シミュレータを用いたシミュレーション方法であって、
前記人体皮膚代替物を切開する切開工程と、
前記人体血管代替物のうち、前記一方の溝部に配設されている部分と前記他方の溝部に配設されている部分とを吻合する吻合工程と、
を行うことを特徴とするシミュレーション方法。
【発明の詳細な説明】
【技術分野】
【０００１】
本発明は、血管吻合手技をトレーニングするための手技シミュレータ及びそれを用いたシミュレーション方法に関する。
【背景技術】
【０００２】
従来、血液ポンプを用いて腎不全患者等の血液を体内から透析器（ダイアライザー）に誘導し、老廃物及び水分を除去した後再び体内に戻す血液透析が広汎に行われている。
【０００３】
このような血液透析を行うためには、前腕部の静脈と動脈とを吻合するシャント造設術（血管吻合手技）が必要であるが、このような血管吻合手技を習得するための教育・実験・練習等では、人体を用いて行うことができないため、感覚的には実際の手技と大きく異なり満足できるものはなかった。そのため、前記血管吻合手技を習得するためには、多くの臨床経験を踏まずしては困難な場合があった。
【０００４】
ところで、血液透析に関する手技シミュレータとして、前腕部の血管吻合部（シャント）に注射針を指す針刺手技をトレーニングするための手技シミュレータが知られている（例えば、特許文献１参照）。この手技シミュレータでは、人体の前腕部を模した腕模型の表皮に豚等の皮膚を用い、該腕模型の内腕部皮膚下に合成ゴム等で形成されたシャントが配設されている。
【先行技術文献】
【特許文献】
【０００５】
【特許文献１】特開２００２−３２５８３９号公報
【発明の概要】
【発明が解決しようとする課題】
【０００６】
しかしながら、特許文献１のような従来技術に係る手技シミュレータは、針刺手技を模擬体験させるためのものであり、血管吻合手技を想定したものではないため、当該手技シミュレータを用いたとしても、血管吻合手技を効率的に習得することは困難である。
【０００７】
本発明は、このような課題を考慮してなされたものであり、臨床経験によらなくても、人体による実際の手技に近似した模擬体験をすることができ、血管吻合手技を効率的に習得することが可能な手技シミュレータ及びそれを用いたシミュレーション方法を提供することを目的とする。
【課題を解決するための手段】
【０００８】
［１］  本発明に係る手技シミュレータは、血管吻合手技をトレーニングするための手技シミュレータであって、人体の腕部に相当する腕部モデルと、前記腕部モデルを支持する支持台と、を備え、前記腕部モデルには、人体血管代替物が配設可能な一対の溝部が所定間隔をおいて並設され、且つ前記各溝部に配設された前記人体血管代替物を覆うように人体皮膚代替物が配設可能であることを特徴とする。
【０００９】
本発明に係る手技シミュレータによれば、腕部モデルに所定間隔をおいて並設された一対の溝部の各々に人体血管代替物を配設した状態で、前記人体血管代替物を覆う人体皮膚代替物を前記腕部モデルに配設することができるので、例えば、人体皮膚代替物を切開し、人体血管代替物のうち一方の溝部に配設されている部分と他方の溝部に配設されている部分を吻合する手技を好適に行うことができる。また、人体皮膚代替物を用いているので、該人体皮膚代替物を切開する感覚が、実際の人体の皮膚を切開する感覚に近似する。さらに、人体血管代替物を用いているので、人体血管代替物を吻合する感覚が、実際の人体の血管を吻合する感覚に近似する。これにより、臨床経験によらなくても、人体による実際の手技に近似した模擬体験をすることができ、血管吻合手技を効率的に習得することができる。
【００１０】
［２］  本発明において、前記人体皮膚代替物を前記支持台に対して係止する係止手段をさらに備えていてもよい。
【００１１】
このような手技シミュレータによれば、腕部モデルを支持する支持台に対して人体皮膚代替物を係止手段にて係止することができるので、例えば、人体皮膚代替物を切開する際に、前記人体皮膚代替物が前記腕部モデルに対してずれることを好適に抑えることができる。また、人体皮膚代替物に対して適度なテンションをかけた状態で該人体皮膚代替物を係止手段にて係止することも可能であり、この場合、人体皮膚代替物を実際の人体の皮膚により近似させることができる。
【００１２】
［３］  本発明において、前記人体血管代替物の内孔に液体を注入可能な液体注入手段をさらに備えていてもよい。
【００１３】
このような手技シミュレータによれば、液体注入手段を備えているので、例えば、人体血管代替物を切開する感覚を実際の人体の血管を切開する感覚に近似することができる。また、人体血管代替物を吻合した後に該人体血管代替物の内孔に液体を注入することにより、血管吻合部が適切に処置されたか（血管吻合部から前記液体が漏れていないか）否かを容易に判断することができる。
【００１４】
［４］  本発明において、前記液体は、着色されていてもよい。この場合、液体を着色しているので、前記液体が無色である場合と比較して血管吻合部からの前記液体の漏れを容易に確認することができる。
【００１５】
［５］  本発明において、前記一方の溝部の深さ寸法が、前記他方の溝部の深さ寸法よりも大きく設定されていてもよい。
【００１６】
このような手技シミュレータによれば、一方の溝部の深さ寸法を他方の溝部の深さ寸法よりも大きく設定しているので、人体血管代替物を前記各溝部に配設した状態で、前記人体血管代替物のうち、前記一方の溝部に配設されている部分（第１人体血管代替物）を前記他方の溝部に配設されている部分（第２人体血管代替物）よりも腕部モデルの内側に位置させることができる。これにより、前記第１人体血管代替物の位置を実際の人体の腕部における動脈の位置に近似させると共に、前記第２人体血管代替物の位置を実際の人体の腕部における静脈の位置に近似させることができる。この場合、血液透析を行うための動静脈吻合手技を効率的に習得することができる。
【００１７】
［６］  本発明において、前記腕部モデルは、軟質な材料で構成されていてもよい。この場合、前記腕部モデルの感触を実際の人体の腕部の感触に近似させることができる。
【００１８】
［７］  本発明において、前記人体血管代替物は、人以外の哺乳類動物の血管であってもよい。
【００１９】
このような手技シミュレータによれば、人体血管代替物が人以外の哺乳類動物の血管であるので、該人体血管代替物を実際の人体の血管に一層近似させることができる。これにより、感覚的に実際の手技に近いトレーニングを行うことが可能になる。
【００２０】
［８］  本発明において、前記人体皮膚代替物は、人以外の哺乳類動物又は鳥類動物の皮膚であってもよい。
【００２１】
このような手技シミュレータによれば、人体皮膚代替物が人以外の哺乳類動物又は鳥類動物の皮膚であるので、該人体皮膚代替物を実際の人体の皮膚に一層近似させることができる。これにより、感覚的に実際の手技に近いトレーニングを行うことが可能になる。
【００２２】
［９］  本発明に係るシミュレーション方法は、人体の腕部に相当する腕部モデルに所定間隔をおいて並設された一対の溝部の各々に人体血管代替物が配設され、且つ前記人体血管代替物を覆うように人体皮膚代替物が前記腕部モデルに配設された手技シミュレータを用いたシミュレーション方法であって、前記人体皮膚代替物を切開する切開工程と、前記人体血管代替物のうち、前記一方の溝部に配設されている部分と前記他方の溝部に配設されている部分とを吻合する吻合工程と、を行うことを特徴とする。
【００２３】
本発明に係るシミュレーション方法によれば、切開工程を行うため、実際の人体の皮膚を切開する感覚に近似した感覚を模擬体験することができる。また、吻合工程を行うため、実際の人体の腕部における血管を吻合する感覚に近似した感覚を模擬体験することができる。これにより、臨床経験によらなくても、人体による実際の手技に近似した模擬体験をすることができ、血管吻合手技を効率的に習得することができる。
【発明の効果】
【００２４】
以上説明したように、本発明によれば、腕部モデルに所定間隔をおいて並設された一対の溝部の各々に人体血管代替物を配設した状態で、前記人体血管代替物を覆う人体皮膚代替物を前記腕部モデルに配設することができるので、臨床試験によらなくても、人体による実際の手技に近似した模擬体験をすることができ、血管吻合手技を効率的に習得することができる。
【図面の簡単な説明】
【００２５】
【図１】本発明の一実施形態に係る手技シミュレータの分解斜視図である。
【図２】図１の手技シミュレータの組立斜視図である。
【図３】図２の一部切欠平面図である。
【図４】図３のＩＶ−ＩＶ線に沿った断面図である。
【図５】前記手技シミュレータを用いたシミュレーション方法の手順を示したフローチャートである。
【図６】図６Ａは人体表皮代替物を切開した状態を説明するための平面説明図であり、図６Ｂは人体皮下代替物を剥離した状態を説明するための平面説明図である。
【図７】図７Ａは第１人体血管代替物と第２人体血管代替物の各々に血管クリップを装着した状態を説明するための平面説明図であり、図７Ｂは血管吻合部を形成した状態を説明するための平面説明図である。
【発明を実施するための形態】
【００２６】
以下、本発明に係る手技シミュレータについて、それを用いたシミュレーション方法との関係で好適な実施形態例を挙げ、添付の図面を参照しながら説明する。
【００２７】
本発明の一実施形態に係る手技シミュレータ１０は、血管吻合手技（シャント造設手技）をトレーニングするためのものであって、図１〜図３に示すように、直方体状に形成された支持台（固定台）１２と、支持台１２に載置され、且つ人体の腕部に相当する腕部モデル１４と、腕部モデル１４に設けられる第１人体血管代替物１６と第２人体血管代替物１８と、これら第１及び第２人体血管代替物１６、１８に液体を注入するための液体注入具（液体注入手段）２０と、腕部モデル１４、第１人体血管代替物１６、及び第２人体血管代替物１８を覆う人体皮膚代替物２２と、人体皮膚代替物２２を支持台１２に対して係止するための複数（例えば、６個）の係止具（係止手段）２４とを備える。
【００２８】
支持台１２は、任意の材料で構成してよいが、例えば、発泡プラスチック等で構成するのが好ましい。支持台１２を発泡プラスチック等で構成すると、腕部モデル１４等を好適に支持することができると共に複数の係止具２４を支持台１２に保持し易くすることが可能となるからである。また、支持台１２は、平面視で腕部モデル１４よりも一回り大きく形成されている。
【００２９】
腕部モデル１４は、例えば、比較的軟質で適度な弾力を有するスチレン樹脂、ウレタン樹脂、シリコン樹脂等の樹脂材料やアルジネート印象材等で構成することができる。腕部モデル１４をこれらの材料で構成することで、該腕部モデル１４の感触を実際の人体の腕部の感触に近似させることができる。なお、腕部モデル１４は、任意の材料で構成してよい。
【００３０】
また、腕部モデル１４は、人体の前腕部を模して形成されており、一方向に延びた円柱部材を軸線方向に沿って弦状に切断したような形状をなしている。すなわち、腕部モデル１４には、支持台１２に接触する平坦面２６と、平坦面２６に連なる湾曲面２８とが形成されている（図４参照）。このような腕部モデル１４は、小児用、成人用で区別して寸法を適宜設定することができる。
【００３１】
湾曲面２８には、第１人体血管代替物１６が配設される第１溝部３０と、第２人体血管代替物１８が配設される第２溝部３２とが形成されている。第１溝部３０と第２溝部３２とは、腕部モデル１４の延在方向に沿ってその全長に亘って延びている。すなわち、第１溝部３０と第２溝部３２とは、腕部モデル１４の幅方向に沿って所定間隔をおいて並設されている。
【００３２】
図４に示すように、第１溝部３０の深さ寸法ｄ１は、第２溝部３２の深さ寸法ｄ２よりも大きく形成されている。これにより、第１溝部３０に配設される第１人体血管代替物１６を第２溝部３２に配設される第２人体血管代替物１８よりも腕部モデル１４の内側（平坦面２６側又は支持台１２側）に位置させることができる。換言すれば、第１人体血管代替物１６を第２人体血管代替物１８よりも人体皮膚代替物２２から離間する方向に位置させることができる。
【００３３】
本実施形態では、第１人体血管代替物１６は、第１溝部３０に配設された状態でその全部が該第１溝部３０内に位置する一方、第２人体血管代替物１８は、第２溝部３２に配設された状態でその一部が該第２溝部３２から突出している。すなわち、第１人体血管代替物１６と第２人体血管代替物１８の各々は、腕部モデル１４に埋設されている。なお、第１人体血管代替物１６は、その一部が第１溝部３０から突出していても構わない。第１溝部３０の幅寸法ｗ１は、第２溝部３２の幅寸法ｗ２よりも若干広く形成されている。
【００３４】
第１人体血管代替物１６と第２人体血管代替物１８としては、例えば、豚、牛等の人以外の哺乳類動物の血管を用いることができる。これにより、第１人体血管代替物１６と第２人体血管代替物１８を実際の人体の血管に近似させることができる。
【００３５】
また、第１人体血管代替物１６としてこれら動物の動脈を用い、且つ第２人体血管代替物１８としてこれら動物の静脈を用いてもよい。通常、動脈と静脈の構造（血管壁の厚みや弾力性等）は異なっているため、このように動脈と静脈を用いることで動静脈吻合手技のシミュレーションの模擬体験を好適に行うことが可能となる。
【００３６】
そして、このような動静脈吻合手技のシミュレーションを行う場合には、第１人体血管代替物１６として豚の頚動脈を用い、且つ第２人体血管代替物１８として豚の頚静脈を用いるのが好ましい。豚の頚動脈と頚静脈は、安価で、入手性に優れ、しかもその構造及び組織が実際の人体の前腕部における動脈（橈骨動脈）と静脈（橈側皮静脈）に近似しているからである。なお、第１人体血管代替物１６と第２人体血管代替物１８の各々は、例えば、人工血管で形成しても構わない。
【００３７】
本実施形態では、第１人体血管代替物１６の外径は、第２人体血管代替物１８の外径よりも僅かに大きく形成されている。ただし、第１人体血管代替物１６と第２人体血管代替物１８の外径は任意に設定可能である。
【００３８】
図１及び図３から諒解されるように、第１人体血管代替物１６と第２人体血管代替物１８の各々の一端部は、糸材３４、３６等を用いて結紮することによりその内孔が閉塞されている。なお、前記内孔の閉塞は、任意の方法により行うことが可能である。例えば、血管クリップ等の閉塞部材を用いることにより該内孔を閉塞してもよい。
【００３９】
液体注入具２０は、第１人体血管代替物１６の他端に縫合糸３８によって接続された第１チューブ４０と、第１チューブ４０の他端に設けられた第１コネクタ４２に装着可能な第１シリンジ（第１ポンプ）４４と、第２人体血管代替物１８の他端に縫合糸４６によって接続された第２チューブ４８と、第２チューブ４８の他端に設けられた第２コネクタ５０に装着可能な第２シリンジ（第２ポンプ）５２とを有する。
【００４０】
第１コネクタ４２には、第１シリンジ４４が装着されていない状態で該第１コネクタ４２の内孔を閉塞する一方、前記第１シリンジ４４が装着された状態で該第１コネクタ４２の内孔を閉じる図示しない弁体が設けられている。第２コネクタ５０は、第１コネクタ４２と同様の構成を有しているため、その詳細な説明を省略する。
【００４１】
第１人体血管代替物１６と第１チューブ４０との接続と第２人体血管代替物１８と第２チューブ４８との接続は、これら接続部の内孔を閉塞しなければどのような方法を用いてもよい。
【００４２】
第１シリンジ４４と第２シリンジ５２の各々には、着色された液体が収容されている。このような液体としては、例えば、生理食塩水に任意の着色剤（着色料）を混合したものを用いることができる。具体的には、前記着色剤として食紅等の赤色着色剤を用いれば、第１人体血管代替物１６、第２人体血管代替物１８、又は血管吻合部６０（図７Ｂ参照）から流出する液体を人体の血液のように視認させることができる。ただし、前記着色剤は、前記血管吻合部６０とは異なる色彩の着色剤であっても構わない。この場合、該血管吻合部６０からの液漏れを確認し易くなる。
【００４３】
また、前記液体注入具２０は、例えば、第２チューブ４８、第２コネクタ５０、及び第２シリンジ５２を設けずに構成してもよい。この場合、前記血管吻合部６０において、第１人体血管代替物（動脈）１６から第２人体血管代替物（静脈）１８に向けて流れる液体（実際の人体の血流に沿って流れる液体）の漏れを確認することができ、液体注入具２０の構成を簡素化することができる。
【００４４】
人体皮膚代替物２２は、人体の皮下に相当する人体皮下代替物５４と、人体の表皮に相当する人体表皮代替物５６とを有する。このような人体皮膚代替物２２としては、例えば、豚、牛等の人以外の哺乳類動物又は鶏等の鳥類動物の皮膚を用いることができ、好ましくは、豚の皮膚、さらに好ましくは、豚の腹部の皮膚を用いるのがよい。豚の皮膚は、安価で入手性に優れ、しかもその構造及び組織が人体の皮膚と近似しているからである。なお、人体皮膚代替物２２は、人工皮膚で形成しても構わない。
【００４５】
各係止具２４は、例えば、針部材やピン部材等で構成されている（図１参照）。この場合、各係止具２４を人体皮膚代替物２２の外面側から支持台１２の側面に突き刺すことにより、該人体皮膚代替物２２と腕部モデル１４との相対位置を容易に保持することができる。なお、本実施形態では、各係止具２４は、例えば、前記人体皮膚代替物２２を係止可能なように支持台１２に一体的に設けられていてもよい。
【００４６】
複数の係止具２４は、支持台１２の長辺を含む側面に３つずつ等間隔に設けられる。すなわち、これら係止具２４は左右対称に配置される。この場合、人体皮膚代替物２２をバランスよく且つ強固に支持台１２に固定することができる。また、本実施形態では、人体皮膚代替物２２に適度なテンションをかけた状態で複数の係止具２４を支持台１２に突き刺している。これにより、人体皮膚代替物２２を実際の人体の皮膚に一層近似させることができる。なお、人体皮膚代替物２２を支持台１２に対して係止した後で、支持台１２が人体皮膚代替物２２に対して可動することにより適度なテンションをかけるように構成してもよい。
【００４７】
本実施形態に係る手技シミュレータ１０は、基本的に以上のように構成されるものであって、次に、該手技シミュレータ１０を用いたシミュレーション方法について図５〜図７Ｂを参照しながら説明する。
【００４８】
本実施形態では、血管吻合手技のトレーニングを行う前段階において、第１コネクタ４２に第１シリンジ４４を装着して該第１シリンジ４４に収容されている液体を該第１人体血管代替物１６の内孔に注入し、第２コネクタ５０に第２シリンジ５２を装着して該第２シリンジ５２に収容されている液体を該第２人体血管代替物１８の内孔に注入している。これにより、第１人体血管代替物１６と第２人体血管代替物１８とを実際の人体の血管に近似させることができる。
【００４９】
先ず、図６Ａに示すように、使用者等は、電気メス等によって人体表皮代替物５６を切開する（図５のステップＳ１：切開工程）。そうすると、人体皮下代替物５４が露出する。
【００５０】
続いて、鉗子１００、１０２等を用いて人体皮下代替物５４を剥離する（ステップＳ２）。これにより、第１人体血管代替物１６と第２人体血管代替物１８とが露出する（ステップＳ３、図６Ｂ参照）。
【００５１】
次いで、第１人体血管代替物１６の一部を第１溝部３０から引き出し、第２人体血管代替物１８の一部を第２溝部３２から引き出す。そして、図７Ａに示すように、血管クリップ１０４ａ、１０４ｂを第１人体血管代替物１６に装着し、血管クリップ１０６ａ、１０６ｂを第２人体血管代替物１８に装着する（ステップＳ４）。これにより、第１人体血管代替物１６と第２人体血管代替物１８とが所定の位置に保持される。
【００５２】
その後、第１人体血管代替物１６の血管壁と第２人体血管代替物１８の血管壁の各々を切開して孔をあける（ステップＳ５）。このとき、前記第１人体血管代替物１６と第２人体血管代替物１８の各々から液体が流出するので、第１人体血管代替物１６と第２人体血管代替物１８の各々を切開する感覚を実際の人体の血管を切開する感覚に近似することができる。
【００５３】
そして、これら孔が連通するように第１人体血管代替物１６と第２人体血管代替物１８とを縫合糸等を用いて吻合する（ステップＳ６：吻合工程）。これにより、血管吻合部（動静脈吻合部）６０が形成されるに至る（図７Ｂ参照）。
【００５４】
次に、第１コネクタ４２に第１シリンジ４４を装着し、第２コネクタ５０に第２シリンジ５２を装着する（ステップＳ７）。続いて、第１シリンジ４４に収容されている液体を第１人体血管代替物１６の内孔に注入し、第２シリンジ５２に収容されている液体を第２人体血管代替物１８の内孔に注入することにより、前記血管吻合部６０の内孔を前記液体で満たす。
【００５５】
このとき、血管吻合部６０から前記液体が漏れているか否かを確認することにより、血管吻合の処置が適切に行われたか否かを容易に判断することができる。その後、切開した人体皮膚代替物２２を縫合して、今回のシミュレーションが終了する。
【００５６】
本実施形態に係る手技シミュレータ１０によれば、腕部モデル１４に所定間隔をおいて並設された第１溝部３０と第２溝部３２の各々に第１人体血管代替物１６と第２人体血管代替物１８を配設した状態で、第１人体血管代替物１６と第２人体血管代替物１８とを覆う人体皮膚代替物２２を腕部モデル１４に配設している。そのため、人体皮膚代替物２２を切開して第１人体血管代替物１６と第２人体血管代替物１８とを吻合する手技（血管吻合手技）を好適に行うことができる。
【００５７】
また、人体皮膚代替物２２を用いているので、該人体皮膚代替物２２を切開する感覚が、実際の人体の皮膚を切開する感覚に近似する。さらに、第１人体血管代替物１６と第２人体血管代替物１８を用いているので、第１人体血管代替物１６と第２人体血管代替物１８とを吻合する感覚（孔をあけたり縫合したりする感覚）が、実際の人体の血管を吻合する感覚に近似する。これにより、臨床経験によらなくても、人体による実際の手技に近似した模擬体験をすることができ、血管吻合手技を効率的に習得することができる。
【００５８】
本実施形態では、第１及び第２人体血管代替物１６、１８の各々が人以外の哺乳類動物の血管であり、人体皮膚代替物２２がこれら動物の皮膚であるので、感覚的に実際の手技に近いトレーニングを行うことができる。
【００５９】
また、人体皮膚代替物２２に適度なテンションをかけた状態で、各係止具２４を人体皮膚代替物２２の外面側から支持台１２の側面に突き刺すことにより、該人体皮膚代替物２２と腕部モデル１４との相対位置を保持している。これにより、人体皮膚代替物２２を実際の人体の皮膚により近似させることができる。
【００６０】
さらに、第１溝部３０の深さ寸法ｄ１を第２溝部３２の深さ寸法ｄ２よりも大きく設定することにより、第１人体血管代替物１６を第２人体血管代替物１８よりも腕部モデル１４の内側に位置しているので、該第１人体血管代替物１６の位置を実際の人体の腕部における動脈（橈骨動脈）の位置に近似させると共に、第２人体血管代替物１８の位置を実際の人体の腕部における静脈（橈側皮静脈）の位置に近似させることができる。これにより、血液透析を行うための動静脈吻合手技を効率的に習得することができる。
【００６１】
本実施形態は、上述した形態に限定されない。例えば、手技シミュレータ１０は、第１人体血管代替物１６、第２人体血管代替物１８、及び人体皮膚代替物２２を含まない構成としてもよい。
【００６２】
本発明は、上述した実施形態に限らず、本発明の要旨を逸脱することなく、種々の構成を採り得ることは当然可能である。
【００６３】
例えば、本発明に係る手技シミュレータは、例えば、１本の人体血管代替物をＵ字状に湾曲させた状態で第１溝部と第２溝部に配設しても構わない。この場合であっても、前記人体血管代替物のうち第１溝部に配設されている部分と第２溝部に配設されている部分とを吻合することができるので、血管吻合手技のトレーニングを好適に行うことが可能である。
【符号の説明】
【００６４】
１０…手技シミュレータ              １２…支持台
１４…腕部モデル                    １６…第１人体血管代替物
１８…第２人体血管代替物            ２０…液体注入具
２２…人体皮膚代替物                ２４…係止具（係止手段）
３０…第１溝部                      ３２…第２溝部
【図１】
0005955647.tif 000002
【図２】
0005955647.tif 000003
【図３】
0005955647.tif 000004
【図４】
0005955647.tif 000005
【図５】
0005955647.tif 000006
【図６】
0005955647.tif 000007
【図７】
0005955647.tif 000008